(57)【要約】【課題】不快生物を駆除するのに適する掃除機を提供する。【解決手段】不快生物を吸引する吸引部と、前記吸引部を載置するタンク部と、前記タンク部内に配置し、吸引した不快生物を収集するための収集部本体とその口となる開口部とを具備する袋状の収集部を収納するためのリテーナーと、前記開口部を、前記タンクの外に配置すると共にその収集部本体を前記リテーナー内に配置したときに、その収納部本体の外部と内部の気圧を同圧に調節する同圧チューブと、を有し、前記同圧チューブは、前記収集部の開口部を前記タンク部に載置し、前記吸引部を、前記タンク部に載置したときに、前記吸引部とタンク部に通じるように配置した掃除機である。【選択図】          図１
2020025713.tif 000002
【特許請求の範囲】
【請求項１】
不快生物を吸引する吸引部と、
前記吸引部を載置するタンク部と、
前記タンク部内に配置し、吸引した不快生物を収集するための収集部本体とその口となる開口部とを具備する袋状の収集部を収納するためのリテーナーと、
前記開口部を、前記タンクの外に配置すると共にその収集部本体を前記リテーナー内に配置したときに、その収納部本体の外部と内部の気圧を同圧に調節する同圧チューブと、を有し、
前記同圧チューブは、前記収集部の開口部を前記タンク部に載置し、前記吸引部を、前記タンク部に載置したときに、前記吸引部とタンク部に通じるように配置した掃除機。
【請求項２】
前記吸引部に、前記不快生物を吸引するための吸引口と、を有し、
前記吸引口に、開閉可能に配置した逆流防止部を有する請求項１記載の掃除機。
【請求項３】
前記吸引部は、フィルターを配置し、前記フィルターに吸引した不快生物が接することを防止するカバーを有する請求項１又は２記載の掃除機。
【請求項４】
前記請求項１から３いずれか１項記載の掃除機を配置するための台車をさらに有する掃除機。
【発明の詳細な説明】
【技術分野】
【０００１】
本発明は、スズメバチやゴキブリ、シロアリ、アブラムシ、カミキリムシ、カメムシ、ケムシ、アオムシ、バッタ、ミノムシ類の不快生物を駆除する掃除機に関するものである。
【背景技術】
【０００２】
バキュームクリーナーなどと通称される工業用の真空吸引式掃除機として、産業用掃除機よりも小型のものがある。この程度の容量の掃除機は、取り回しにおいて有利であり、固体、液体を問わずに吸引できるため、様々な分野において使用されている。一方で近年特にスズメバチなどの不快生物が、人間の生活圏に進出し、人家の周囲に巣を作り始めることによって、人間に脅威を与える場合がある。
【０００３】
これを駆除するために、離れた位置からスズメバチの巣に殺虫剤を噴霧することによって、そのスズメバチを死滅させつつ、その巣を撤去するということが行われている。その際に、スズメバチを吸引するために掃除機を併用することがある。
【０００４】
例えば、特開２００９−２６８６４４号公報に記載されている掃除機は、上部に吸引機部、下部に回収部を有し、吸引機部と回収部との間に位置する吸引口から内部に吸引された吸引気流に渦流を生じさせ、気流とともに流入した固体及び液体を回収部に回収し、気体を外部に放出する乾湿両用掃除機であって、吸引口から内部に流入する吸引気流の出口に、吸引気流を受け止めて渦流を形成するために、回収部の周方向にほぼ沿う向きに整流器を設置し、上記整流器は、吸引口から流入する吸引気流と交差し、かつ周方向の両端部に開口を有する開放構造の交差流路を有しており、上記交差流路を有する整流器は、渦流の下流側開口の方が上流側開口よりも大きい面積で開口しているというものである。
【０００５】
上記構成の掃除機は、充分な吸引力を有し、乾湿両用掃除機であることから、様々なものを吸引することができる。従って、不快生物等の大きさであれば吸引すること自体に問題はない。従って、使用者によってはその不快生物等を駆除するために乾湿両用掃除機を使用することもありえないことではない。しかしながら、そもそも、この乾湿両用掃除機はスズメバチなどの、不快生物の中でも特に危険な生物の駆除に使用されることは全く想定されていないため、その生物を吸引した場合にその後の処理が問題となる。
【先行技術文献】
【特許文献】
【０００６】
【特許文献１】特開２００９−２６８６４４号公報
【発明の開示】
【発明が解決しようとする課題】
【０００７】
本発明は前記の点に着目してなされたもので、その課題は、不快生物を駆除するのに適する掃除機を提供することである。
【課題を解決するための手段】
【０００８】
前記の課題を解決する第１観点の掃除機は、不快生物を吸引する吸引部と、吸引部を載置するタンク部と、タンク部内に配置し、吸引した不快生物を収集するための収集部本体とその口となる開口部とを具備する袋状の収集部を収納するためのリテーナーと、開口部を、タンクの外に配置すると共にその収集部本体をリテーナー内に配置したときに、その収納部本体の外部と内部の気圧を同圧に調節する同圧チューブと、を有し、同圧チューブは、収集部の開口部を前記タンク部に載置し、吸引部を、タンク部に載置したときに、吸引部とタンク部に通じるように配置したというものである。
【０００９】
また、第２観点の掃除機は、第１観点において、吸引部に、不快生物を吸引するための吸引口と、を有し、吸引口に、開閉可能に配置した逆流防止部を有するというものである。
【００１０】
また、第３観点の掃除機は、第１観点から第２観点において、吸引部は、フィルターを配置し、フィルターに吸引した不快生物が接することを防止するカバーを有するというものである。
【００１１】
第４観点の掃除機は、第１観点から第３観点の掃除機を配置するための台車をさらに有するというものである。
【発明の効果】
【００１２】
本発明は以上のように構成され、かつ、作用するものであるから、不快生物を駆除するのに適する掃除機を提供することができる。
【図面の簡単な説明】
【００１３】
【図１】本実施例の掃除機の正面図である。
【図２】本実施例の掃除機の平面図である。
【図３】Ａは、本実施例の掃除機の側面図である。Ｂは、Ａの内部の状態図である。
【図４】本実施例の掃除機の内部を示した状態側面図である。
【図５】Ａは、リテーナーの斜視図である。Ｂは、収集部の斜視図である。
【図６】吸引部と、タンク部を分離した状態の掃除機の内部の状態を図示した図である。
【図７】吸引部を下から見た状態の底面図である。
【図８】逆流防止部の拡大側面図である。
【図９】同圧チューブの拡大側面図である。
【図１０】吸引部と、タンク部を分離し、収集部の状態を示した図である。
【発明を実施するための最良の形態】
【００１４】
以下、図示の実施形態を参照して本実施例について説明する。本実施例の掃除機１０は、スズメバチやゴキブリ、シロアリ、アブラムシ、カミキリムシ、カメムシ、ケムシ、アオムシ、バッタ、ミノムシ類の不快生物Ｃを吸引する掃除機に関するものである。本実施例の掃除機１０は、吸引部２０と、タンク部４０とを有するものである。吸引部２０は、その外郭を構成するケーシング２１と、そのケーシング２１において、外部に排気するためのメッシュ状を呈する排出部２２とを有する。
【００１５】
また、ケーシング２１の内部に、吸引力を発揮するために配置された図示しないブロアモーターを有し、そのブロアモーターによって回転するブロア２４を有する。ブロアモーターが回転することでブロア２４が回転し吸引力を発揮するものであることは言うまでもない。ブロア２４は、ブロアモーターから吊り下げられた状態を呈しており、そのブロア２４はケーシング２１内に配置されている。また、後述するように、吸引ホース２９の長さを、１０メートルのものにした場合に、ブロア２４は最大２９．４ｋｐａの真空度のものを使用することが好ましい。
【００１６】
ブロア２４の下部には、円筒形を呈する粉塵用フィルター２５を有し、図示しない不快生物Ｃを吸引した際に吸い込んだ土埃を飛散させないように配置している。また、粉塵用フィルター２５を囲い込むように、その円筒形を呈する粉塵用フィルター２５より一回り大きな円筒形状を呈するカバー２６を配置する。粉塵用フィルター２５は、水で洗浄できるものが好ましい。
【００１７】
カバー２６は、上記のとおり円筒形を呈し、その側面と底面は金属製のメッシュ状であり、不快生物Ｃが粉塵用フィルター２５に、接触することを防止するものである。粉塵用フィルター２５は、合成樹脂製のものが好ましいが、その場合に、吸引した不快生物Ｃが、その粉塵用フィルター２５に刺さる場合があり、それによって粉塵用フィルター２５が破損することがあり、それを防止するために配置することができる。なお、粉塵用フィルター２５と、カバー２６は、ノブボルト２６ａによって共締めすることで、それらを固定することができる。
【００１８】
また、ケーシング２１は、吸引口２７を配置している。吸引口２７は文字通り、不快生物Ｃを吸引したときに、ケーシング２１内に、送り込むためのものであり、その吸引口２７から内部に流入する吸引気流の出口に、開閉可能に配置された逆流を防止するための逆流防止部２８を有する。吸引口２７は、吸引ホース２９の取り付け口を構成している。
【００１９】
図示しない吸引ホース２９は、透明な合成樹脂であることが好ましく、その長さは，１０メートルが好ましい。また、吸引ホース２９は、帯電防止効果のある物が好ましい。なお、吸引ホース２９は図４においてその一部を記載している。
【００２０】
逆流防止部２８は、その吸引気流の出口に開閉可能に配置され、軸部２８ａ周りに板状の開閉部２８ｂが配置され。開閉部２８ｂの自重によって、吸引気流の出口が閉鎖される構成である。すなわち、板状の開閉部２８ｂがいわば蓋となって、吸引口２７を塞ぐという構成である。従って、吸引ホース２９から不快生物Ｃを吸引した場合に、開閉部２８ｂが開き（図６開閉部２８ｂ′参照）、吸引をやめると、開閉部２８ｂがその自重によりその出口を閉じるという構成である。これにより１度吸引した不快生物Ｃが、吸引口２７から飛び出すことを防止することができる。
【００２１】
また、逆流防止部２８から間隔をあけて、矢印Ｆ方向へ吸引気流を導くための整流器３０が配置されている。の整流器３０は、整流板とか、吸引気流の方向を変えるために邪魔板と呼ばれたものであり、吸引気流を受け止めて渦流を形成するためのものであり、ケーシング２１の内部においてその周方向（図７、矢印Ｆ方向）にほぼ沿うような向きに配置されている。この整流器３０は底面視Ｌ字状を呈するものである。
【００２２】
また、吸引部２０は、噴霧口３１を有する。噴霧口３１とは、ケーシング２１内に殺虫剤を噴霧するための開口となるものであって、ここから殺虫剤を注入することができる。なお噴霧口３１は、金属製であって網目状のメッシュ部３２を有し、不快生物Ｃの飛び出しを防止している。なお不使用時において、その噴霧口３１は、栓３３で、塞がれている。
【００２３】
タンク部４０は、円筒形状を呈するタンク４１と、その内部にリテーナー４２とを有する。タンク４１は吸引した不快生物Ｃを貯留するためのもので、透明な合成樹脂で作成することが好ましい。このように、タンク４１を、透明な合成樹脂で作成することで、吸引した不快生物Ｃの状態が把握できるために、好ましいものである。
【００２４】
また、タンク４１の内部に配置したリテーナー４２は、袋状の収集部５０をタンク４１に装着させるためのものである。また、吸引した不快生物Ｃの状態を把握するために、円筒形状であって、網目状であることが好ましく、その網目の目合は十分透視できることが好ましい。また、リテーナー４２は、金網で作成することも好ましい。
【００２５】
また、袋状の収集部５０は、その開口部５１と収集部本体５２とを有する。開口部５１が文字通り袋状の収集部５０の口であり、その口である開口部５１に、紐５１ａが通され、その開口部５１を縛ることで、吸引した不快生物Ｃを確保することができるものであり、それは市販されている。この収集部５０における収集部本体５２をリテーナー４２内に配置することができる。なお袋状の収集部５０は透明なビニール製が好ましい（図５ｂ参照）。
【００２６】
収集部５０をリテーナー４２内に配置する場合にその開口部５１を、タンク４１の外部に位置するように配置する（図６参照）。これにより、不快生物Ｃを収集部５０内に収集したときに、開口部５１を紐５１ａによって縛ることで、その収集した不快生物Ｃに触れることなく処理することができる。
【００２７】
また、タンク部４０とケーシング２１とを接続する同圧チューブ４５を有する。同圧チューブ４５は、同圧チューブ本体４６と、同圧チューブ接続部４７とを有する。同圧チューブ４５は、文字通り、管状のものである。同圧チューブ４５における同圧チューブ本体４６は、タンク４１において高さ方向のほぼ中央部分に接続されている。同圧チューブ４５における同圧チューブ接続部４７は、ケーシング２１に接続されている。また、同圧チューブ本体４６と、同圧チューブ接続部４７とは取り外し可能に接続されている。従って、同圧チューブ本体４６と、同圧チューブ接続部４７と、を接続した場合に、このケーシング２１内の気圧と、タンク部４０内の気圧とを、同じ気圧すなわち同圧にするというものである。これについては、さらに後述する。
【００２８】
上記構成のタンク部４０の上に、吸引部２０を載置する。タンク部４０の上に、吸引部２０を載置し、ロック部６０を掛ける。ロック部６０は、いわゆる２段解除式のクランプが好ましい。掃除機１０が転倒した際に、収集した不快生物Ｃの飛散を防止するためである。
【００２９】
本実施例の掃除機１０は、台車１００に配置することができる。台車１００は、荷台部１０１と、取っ手部１０２と、前キャスター１０３，１０３と、後キャスター１０４，１０４とを有する。荷台部１０１は、掃除機１０を載置するためのものであり、前キャスター１０３，１０３はいわゆる自在キャスターであり、これにより方向転換することができる。なお、前キャスター１０３，１０３の車輪の径は１００ミリメートルものが好ましい。また、後キャスター１０４，１０４は、前進方向に固定されたキャスターでありその車輪の径は１５０ミリメートルものが好ましい。整地されていない場所を走行する際に好適であり、転倒を防止することができるからである。
【００３０】
荷台部１０１は、掃除機１０を係止するための係止部１１０、１１０を有する。また、荷台部１０１は、その係止部１１０、１１０と、後述するロック部６０により、掃除機１０を荷台部１０１上に固定することができる。
【００３１】
また、取っ手部１０２に、ロック部６０を配置することができる。このロック部６０は上記のものと同様であり、いわゆる２段解除式のクランプが好ましい。
【００３２】
また手元遠隔スイッチを設けることも好ましい。このように、吸引部２０またはタンク部４０から、離れた箇所に有線のスイッチを設けることで、図示しない作業者が、吸引ホース２９のみを持ち、建物の床下や天井に入り込んだり、脚立上の高所で不快生物Ｃの吸引作業を行う際に便利である。
【００３３】
上記構成のタンク部４０の上に、吸引部２０を載置する。そのときにあらかじめ、タンク４１内に、リテーナー４２を配置し、そのリテーナー４２の内側に、袋状の収集部５０を配置する。その際に、その開口部５１を、タンク４１からはみ出すように配置する。これによりその開口部５１に配置された紐５１ａについても、タンク４１からはみ出すように配置することになる。
【００３４】
この状態で、スイッチを入れ、不快生物Ｃを吸引する。吸引ホース２９から吸引された不快生物Ｃは、吸引気流によって吸引される。これによりタンク４１内の収集部５０に収集される。このときに、仮に同圧チューブ４５を配置していなければ、ブロア２４によって吸引することによって、収集部５０がめくり上げられる場合がある。しかしながら、本実施例の掃除機１０は同圧チューブ４５を配置しているので、タンク４１内であって、収集部本体５２の外部５２ａと、収集部本体５２の内部５２ｂとが同様の気圧であるために、収集部５０がブロア２４の吸引力によって、めくり上げられることがない。これにより収集部５０がめくり上げられることなく、収集された不快生物Ｃが、その収集部５０における収集部本体５２の内部５２ｂに滞留することになる（図９参照）。
【００３５】
すなわち、吸引部２０内と、収集部５０における収集部本体５２の内部５２ｂとが、連通しているために同じ気圧の雰囲気である。また、吸引部２０とタンク部４０に通じるように同圧チューブ４５が配置されているので、さらに、タンク部４０内であって、収集部５０における収集部本体５２の外部５２ａと吸引部２０内とが同じ気圧の雰囲気である。したがって、上記のとおり、タンク４１内であって、収集部本体５２の外部５２ａと、収集部本体５２の内部５２ｂとが同様の気圧であるために、ブロア２４によってタンク部４０内を吸引しても、収集部５０がめくり上げられることなく不快生物Ｃを収集することができる。このように、同圧チューブ４５は、収集部５０における収集部本体５２の外部５２ａと、内部５２ｂとの間の空気の流通を図ることにより、その外部５２ａと、内部５２ｂとの間の気圧を同圧のものに調節することができる（図９参照）。
【００３６】
また、スイッチを切り吸引ホース２９から吸引が終わると、開いていた開閉部２８ｂ′がその自重によりその出口を閉じるという構成であるので（図８参照）、その出口から不快生物Ｃが、外部に飛び出すこともない。その後、噴霧口３１から、殺虫剤を注入することで、中の不快生物Ｃを死滅させる。またその際に、メッシュ部３２を有しているので、不快生物Ｃの飛び出しを防止する（図７参照）。
【００３７】
上記のとおり、タンク４１は透明な合成樹脂で作成することができ、さらに収集部５０が透明なビニール製であれば、収集された不快生物Ｃの状態を外部から確認することができるので、上記のとおり殺虫剤を注入することで、収集部内５０ｂの不快生物Ｃが死滅したか否かを外部から確認することができる。
【００３８】
収集部内５０ｂの不快生物Ｃが死滅したことを確認すると、タンク部４０上に載置した、吸引部２０を、ロック部６０を解除した後に取り外す（図１０ａ参照）。その後。収集部５０の開口部５１に配置した紐５１ａを縛り、その開口部５１を縛る（図１０ｂ参照）。これにより、不快生物Ｃを安全に駆除することができる。
【符号の説明】
【００３９】
１０  掃除機
２０  吸引部
２１  ケーシング
２２  排出部
２３  ブロアモーター
２４  ブロア
２５  粉塵用フィルター
２６  カバー
２７  吸引口
２８  逆流防止部
２８ａ  軸部
２８ｂ  開閉部
３０  整流器
３１  噴霧口
４０  タンク部
４１  タンク
４２  リテーナー
４５  同圧チューブ
５０  収集部
５１  開口部
５２  収集部本体
５２ａ  外部
５２ｂ  内部
６０  ロック部
１００  台車
【図１】
2020025713.tif 000003
【図２】
2020025713.tif 000004
【図３】
2020025713.tif 000005
【図４】
2020025713.tif 000006
【図５】
2020025713.tif 000007
【図６】
2020025713.tif 000008
【図７】
2020025713.tif 000009
【図８】
2020025713.tif 000010
【図９】
2020025713.tif 000011
【図１０】
2020025713.tif 000012